(57)【要約】  ロータ（５）は、円筒形状を呈するとともに、円筒形状の中心軸に沿って延びる複数の磁石挿入孔が形成されたロータコアと、磁石挿入孔に挿入された永久磁石（１９）と、を備える。ロータコアの外周面と、少なくとも一つの磁石挿入孔との間には、中心軸に沿って延びるスリットが設けられている。中心軸を垂線とする平面でみて、スリットは、磁石挿入孔側に向けて突出する三角形形状を有する。また、中心軸を垂線とする平面でみて、スリットは、磁石挿入孔側の頂点からロータコアの外周面に向けて延びる一対のスリット内側ラインと、スリット内側ラインのうち頂点の反対側となるサイド端部同士を結ぶスリット外側ラインとで構成される。
2017072851.tif 000002
【特許請求の範囲】
【請求項１】
円筒形状を呈するとともに、前記円筒形状の中心軸に沿って延びる複数の磁石挿入孔が形成されたロータコアと、
前記磁石挿入孔に挿入された永久磁石と、を備えたロータであって、
前記ロータコアの外周面と、少なくとも一つの前記磁石挿入孔との間には、前記中心軸に沿って延びるスリットが設けられており、
前記中心軸を垂線とする平面でみて、前記スリットは、前記磁石挿入孔側に向けて突出する三角形形状を有し、
前記中心軸を垂線とする平面でみて、前記スリットは、前記磁石挿入孔側の頂点から前記ロータコアの外周面に向けて延びる一対のスリット内側ラインと、前記スリット内側ラインのうち前記頂点の反対側となるサイド端部同士を結ぶスリット外側ラインとで構成されるロータ。
【請求項２】
円筒形状を呈するとともに、前記円筒形状の中心軸に沿って延びる複数の磁石挿入孔が形成されたロータコアと、
前記磁石挿入孔に挿入された永久磁石と、を備えたロータであって、
前記ロータコアの外周面と、少なくとも一つの前記磁石挿入孔との間には、前記中心軸に沿って延びるスリットが設けられており、
前記中心軸を垂線とする平面でみて、前記スリットは、前記磁石挿入孔側に向けて突出する三角形形状を有し、
前記中心軸を垂線とする平面でみて、前記スリットは、前記磁石挿入孔側の頂点から前記ロータコアの外周面に向けて延びる曲線状の一対のスリット内側ラインを有するロータ。
【請求項３】
前記ロータコアは、複数の鋼板が積層されて構成されており、
前記頂点と前記磁石挿入孔との間隔は、前記鋼板の板厚よりも大きい請求項１または請求項２に記載のロータ。
【請求項４】
円筒形状を呈するとともに、前記円筒形状の中心軸に沿って延びる複数の磁石挿入孔が形成されたロータコアと、
前記磁石挿入孔に挿入された永久磁石と、を備えたロータであって、
前記ロータコアの外周面と、少なくとも一つの前記磁石挿入孔との間には、前記中心軸に沿って延びるスリットが設けられており、
前記中心軸を垂線とする平面でみて、前記スリットは、前記磁石挿入孔側に向けて幅が狭くなる台形部分を有し、
前記台形部分と前記磁石挿入孔との間隔は、前記鋼板の板厚よりも大きいロータ。
【請求項５】
前記ロータコアは、複数の鋼板が積層されて構成されており、
前記台形部分と前記磁石挿入孔との間隔は、前記鋼板の板厚よりも大きい請求項４に記載のロータ。
【請求項６】
ステータと、
前記ステータに対向して回転可能に設けられた、請求項１から請求項５のいずれか一つに記載されたロータと、を備える永久磁石埋込型電動機。
【請求項７】
密閉容器内に、請求項６に記載された永久磁石埋込型電動機と、圧縮要素とを備える圧縮機。
【発明の詳細な説明】
【技術分野】
【０００１】
本発明は、ロータコアに永久磁石が埋め込まれたロータ、永久磁石埋込型電動機および圧縮機に関する。
【背景技術】
【０００２】
従来の永久磁石埋込型電動機として、特許文献１には、ロータにおいて磁石挿入孔よりも径方向外側に複数のスリットを設けた永久磁石埋込型電動機が開示されている。かかる永久磁石埋込型電動機では、スリットの作用により、磁束密度波形の高調波成分が低減し、誘起電圧の高調波、コギングトルクが低減し、騒音および振動の低減を図ることが期待できる。
【先行技術文献】
【特許文献】
【０００３】
【特許文献１】特開２００５−２４５１４８号公報
【発明の概要】
【発明が解決しようとする課題】
【０００４】
しかしながら、特許文献１に開示の構成では、スリットの一部を磁石挿入孔と連結させ、スリットの連結部は、ロータ外周部へ向かうにつれ徐々に幅が大きくなっている。よって、連結部の磁石表面側は、空気領域となるので、その分、磁石から発する磁束の利用効率が低下する恐れがある。【０００５】
本発明は、上記に鑑みてなされたものであり、磁石から発する磁束のロスを低減しながら、騒音および振動の低減を図ることができる、ロータを提供することを目的とする。
【課題を解決するための手段】
【０００６】
上述した課題を解決し、目的を達成するために、本発明に係るロータは、円筒形状を呈するとともに、円筒形状の中心軸に沿って延びる複数の磁石挿入孔が形成されたロータコアと、磁石挿入孔に挿入された永久磁石と、を備えたロータである。ロータコアの外周面と、少なくとも一つの磁石挿入孔との間には、中心軸に沿って延びるスリットが設けられている。中心軸を垂線とする平面でみて、スリットは、磁石挿入孔側に向けて突出する三角形形状を有する。また、中心軸を垂線とする平面でみて、スリットは、磁石挿入孔側の頂点からロータコアの外周面に向けて延びる一対のスリット内側ラインと、スリット内側ラインのうち頂点の反対側となるサイド端部同士を結ぶスリット外側ラインとで構成される。
【発明の効果】
【０００７】
本発明に係るロータは、磁石から発する磁束のロスを低減しながら、騒音および振動の低減を図ることができるという効果を奏する。
【図面の簡単な説明】
【０００８】
【図１】本発明の実施の形態１の永久磁石埋込型電動機の回転中心線と直交する断面を示す図
【図２】図１の永久磁石埋込型電動機におけるロータを示す図
【図３】図２のロータにおける一つの永久磁石の周囲部を拡大して示す図
【図４】図３の複数のスリットを拡大して示す図
【図５】スリットの磁石挿入孔側の端部と磁石挿入孔との間隔が一定である場合の磁束の流れを模式的に示す図
【図６】スリットの磁石挿入孔側の端部形状が三角形である場合の磁束の流れを模式的に示す図
【図７】スリットの磁石挿入孔側の端部形状が円弧である場合の磁束の流れを模式的に示す図
【図８】図６のスリットの端部形状と図７のスリットの端部形状とを比較する図
【図９】図６のスリットの端部形状と図７のスリットの端部形状とを比較する図
【図１０】実施の形態１の永久磁石埋込型電動機のロータコアに形成されるスリットの形状の第１の変形例を示す図
【図１１】実施の形態１の永久磁石埋込型電動機のロータコアに形成されるスリットの形状の第２の変形例を示す図
【図１２】実施の形態１の永久磁石埋込型電動機のロータコアに形成されるスリットの形状の第３の変形例を示す図
【図１３】実施の形態１の永久磁石埋込型電動機のロータコアに形成されるスリットの形状の第４の変形例を示す図
【図１４】平板状の永久磁石を埋め込んだロータコアの例を示す図
【図１５】永久磁石埋込型電動機を搭載したロータリ圧縮機の縦断面図
【発明を実施するための形態】
【０００９】
以下に、本発明の実施の形態に係るロータ、永久磁石埋込型電動機および圧縮機を図面に基づいて詳細に説明する。なお、この実施の形態によりこの発明が限定されるものではない。
【００１０】
実施の形態１．
図１は、本発明の実施の形態１に係る永久磁石埋込型電動機の回転中心線と直交する断面を示す図である。図２は、図１の永久磁石埋込型電動機におけるロータを示す図である。図３は、図２のロータにおける一つの永久磁石の周囲部を拡大して示す図である。図４は、図３の複数のスリットを拡大して示す図である。
【００１１】
永久磁石埋込型電動機１は、円筒形状のステータ３と、ステータ３の内側に配置されて回転可能に設けられたロータ５とを備える。ステータ３は、複数のティース部７を有している。複数のティース部７はそれぞれ、対応するスロット部９を介して別のティース部７と隣り合っている。複数のティース部７と複数のスロット部９とは、周方向に交互にかつ等間隔で並ぶように配置されている。複数のティース部７には、それぞれ、図示省略する公知のステータ巻線が公知の態様で巻回されている。
【００１２】
ロータ５は、円筒形状のロータコア１１と、ロータコア１１の内側に嵌め込まれた棒状のシャフト１３とを有している。シャフト１３は、ロータコア１１の軸心部に、焼嵌、圧入等により連結されており、ロータコア１１に回転エネルギーを伝達する。ロータ５のコア外周面２５と、ステータ３の内周面との間には、エアギャップ１５が確保されている。
【００１３】
このような構成において、ロータ５は、エアギャップ１５を介したステータ３の内側で、ロータコア１１の中心軸と重なる回転中心線ＣＬを中心に回転自在に保持されている。具体的には、ステータ３に、指令回転数に同期した周波数の電流を通電することにより、回転磁界を発生させ、ロータ５を回転させる。
【００１４】
次に、ステータ３と、ロータ５との構成を詳細に説明する。ステータ３は、ステータコア１７を有する。ステータコア１７は、電磁鋼板を所定の形状に打ち抜き、所定枚数の電磁鋼板をカシメで締結しながら積層して構成される。
【００１５】
ステータコア１７には、その内径側に周方向に略等間隔に９個のスロット部９が放射状に形成されている。そして、ステータコア１７において隣接するスロット部９の間の領域をティース部７と称する。ティース部７はそれぞれ、径方向に延びており、回転中心線ＣＬに向けて突出する。また、ティース部７の大部分は、径方向外側から径方向内側にかけて略等しい周方向の幅を有しているが、ティース部７の最も径方向内側となる先端部には、ティース歯先部７ａを有している。ティース歯先部７ａはそれぞれ、その両側部が周方向に広がる傘状の形状に形成されている。
【００１６】
ティース部７には、回転磁界を発生させるコイル（図示せず）を構成するステータ巻線（図示せず）が巻かれている。コイルは、マグネットワイヤーを、絶縁体を介して磁極ティースに直接巻き付けて形成される。この巻線方式を、集中巻線という。そして、コイルは、３相Ｙ結線に結線される。コイルのターン数および線径は、要求される特性（回転数およびトルク等）、電圧仕様およびスロットの断面積に応じて定まる。ここでは、巻線し易いように分割ティースを帯状に展開し、適当な線径のマグネットワイヤーを各磁極ティースに所定ターン巻き付け、巻線後、分割ティースを環状に丸め、溶接してステータを構成している。
【００１７】
ロータコア１１もまた、ステータコア１７の場合と同様に、例えばステータコア１７の電磁鋼板と同程度の厚さの電磁鋼板を所定の形状に打ち抜き、所定枚数の電磁鋼板をカシメで締結しながら積層して構成される。
【００１８】
ロータコア１１の内部には、Ｎ極とＳ極とが交互になるように着磁された複数の（本具体例では６個の）の永久磁石１９が設けられている。永久磁石１９はそれぞれ、図１および図２に示されるように、弧状に湾曲しており、その弧形状の凸部側がロータ５の中心側に向くように配置されている。
【００１９】
より詳細に説明すると、ロータコア１１には、複数（６つ）の永久磁石１９に対応した数（６つ）の磁石挿入孔２１が形成されており、複数の磁石挿入孔２１のそれぞれに、対応する永久磁石１９が挿入されている。つまり、複数の永久磁石１９および複数の磁石挿入孔２１が共に、ロータ５の中心側に凸となる向きの弧状に形成されている。また、図１および図２に示されているように、一つの磁石挿入孔２１につき一つの永久磁石１９が挿入されている。なお、ロータ５の磁極数は、２極以上であればいくつでもよいが、本例では、６極の場合を例示している。
【００２０】
本発明では、ロータ５におけるコア外周面２５と、磁石挿入孔２１それぞれの後述する孔外側ラインとの間に、少なくとも一つのスリットが形成されていることを要するが、本実施の形態１では、その一例として、６極の磁極それぞれに関して、複数のスリット（より具体的には４つのスリット）が形成されている。
【００２１】
次に、主に図３に基づいて、永久磁石および磁石挿入孔の詳細について説明する。永久磁石１９はそれぞれ、回転中心線ＣＬを垂線とする平面視において、内側外面４３と、外側外面４５と、一対のサイド外面４７とを有している。なお、内側外面４３および外側外面４５との名称における「外側」および「内側」は、回転中心線ＣＬを垂線とする平面視において、相対的な比較で径方向の内側および外側の何れであるかを示しているものとする。
【００２２】
また、磁石挿入孔２１はそれぞれ、回転中心線ＣＬを垂線とする平面視において、孔の輪郭として、孔内側ライン５３と、孔外側ライン５５と、一対の孔サイドライン５７とを有している。なお、孔内側ラインおよび孔外側ラインにおける外側および内側もまた、回転中心線ＣＬを垂線とする平面でみて、相対的な比較で径方向の内側および外側の何れであるかを示しているものとする。
【００２３】
孔外側ライン５５は、第１円弧半径による第１円弧によって構成されている。孔内側ライン５３は、第１円弧半径よりも大きい第２円弧半径による第２円弧によって構成されている。第１円弧半径と、第２円弧半径とは、共通の半径中心を有しており、その共通の半径中心は、永久磁石１９および磁石挿入孔２１よりも径方向外側に在り、かつ、対応する磁極中心線ＭＬ上に在る。換言すると、孔内側ライン５３と、孔外側ライン５５とは、同心円状に構成され、第１円弧の中心と第２円弧の中心は、永久磁石の配向中心（配向焦点）に一致している。なお、磁極中心線とは、回転中心軸ＣＬから延びて極の中心を通過する線である。
【００２４】
また、一対のサイド外面４７はそれぞれ、図３においてみて、内側外面４３および外側外面４５の対応する端部同士を結んでおり、一対の孔サイドライン５７はそれぞれ、図３においてみて、孔内側ライン５３および孔外側ライン５５の対応する端部同士を結んでいる。
【００２５】
ロータコア１１における、コア外周面２５と磁石挿入孔２１それぞれの孔サイドライン５７との間の部分は、一様な肉厚の極間薄肉部３５である。これらの極間薄肉部３５はそれぞれ、隣接する磁極間での漏れ磁束の経路となるため、できるだけ薄いことが好ましい。ここでは一例としてプレス可能な最小幅として電磁鋼板の板厚程度に設定している。
【００２６】
次に、図３および図４に基づいて、スリットの詳細について説明する。４つのスリット７２（７２ａ、７２ｂ、７２ｃ、７２ｄ）は何れも、対応する磁極中心線ＭＬと平行な方向に延びており、ロータコア１１を回転中心線ＣＬ方向に貫通する孔である。
【００２７】
回転中心線ＣＬを垂線とする平面でみて、スリット７２ａ、７２ｂ、７２ｃおよび７２ｄそれぞれは、スリットの輪郭として、スリット内側ライン７３と、スリット外側ライン７５と、一対のスリットサイドライン７７とを有している。なお、スリット内側ライン７３およびスリット外側ライン７７との名称における「外側」および「内側」も、回転中心線ＣＬを垂線とする平面でみて、相対的な比較で径方向の内側および外側の何れであるかを示しているものとする。
【００２８】
スリット７２ａ、７２ｂ、７２ｃおよび７２ｄそれぞれの磁石挿入孔２１側の端部形状は、三角形である。すなわち、スリット７２ａ、７２ｂ、７２ｃおよび７２ｄそれぞれのスリット内側ライン７３は、磁石挿入孔２１側に向けて凸となる三角形の頂点７３ａと、その頂点７３ａを挟む三角形の２辺と、それら２辺それぞれの頂点との逆端部となる一対のサイド端部７３ｂ、７３ｃとを含んでいる。また、図４においてスリット内側ライン７３の長さが互いに異なる三角形となる例を示しているが、スリット内側ライン７３同士の長さを等しくして二等辺三角形としてもよい。この場合、スリット内側ライン７３同士が、対応する磁極中心線ＭＬと平行に延びかつ頂点７３ａを通る仮想線を中心とした線対称に配置される。
【００２９】
スリット外側ライン７５は、コア外周面２５にほぼ沿って延びている。また、一対のスリットサイドライン７７は、対応する磁極中心線ＭＬに沿って延びている。そして、これら一対のスリットサイドライン７７に接続するスリット内側ライン７３の端部が、上述した一対のサイド端部７３ｂ、７３ｃである。
【００３０】
すなわち、スリット７２ａ、７２ｂ、７２ｃおよび７２ｄそれぞれの磁石挿入孔２１側の端部は、頂点７３ａと、一対のサイド端部７３ｂ、７３ｃとを有しており、回転中心線ＣＬを垂線とする平面でみて、スリット７２ａ、７２ｂ、７２ｃおよび７２ｄそれぞれの一対のサイド端部７３ｂ、７３ｃと、磁石挿入孔２１の孔外側ライン５５との、間隔（対応する磁極中心線ＭＬの方向の間隔）Ｔ２、Ｔ３は、頂点７３ａと、磁石挿入孔２１の孔外側ライン５５との、間隔（対応する磁極中心線ＭＬの方向の間隔）Ｔ１よりも大きい（Ｔ１＜Ｔ２かつＴ１＜Ｔ３）。さらに、スリット７２ａ、７２ｂ、７２ｃおよび７２ｄそれぞれの頂点７３ａと、磁石挿入孔２１の孔外側ライン５５との、間隔Ｔ１は、ロータコア１１を構成する電磁鋼板の板厚よりも大きい。
【００３１】
次に、上述したスリットを含むことによる本実施の形態１の作用について、図５から図９を用いながら説明する。
【００３２】
まず、本実施の形態の作用について簡易的に説明するために、図５に、磁石挿入孔とスリット内側ラインとの間の間隔が一定な態様を示す。騒音低減を目的としたスリットを配置した場合、スリット端部側の磁束は、スリットを避けるようにロータコアを通過するが、スリット中央部の磁束もスリットを避けて通過するため、磁石挿入孔とスリットとの間の肉厚が薄いと磁気飽和を起こし磁束のロスが発生してしまう。
【００３３】
そこで、図６のようにスリット７２の磁石挿入孔２１側の端部形状を三角形にすることで、スリット７２の磁石挿入孔２１側の端部と磁石挿入孔２１との間隔が、スリット幅方向（対応する磁極中心線ＭＬと直交する方向）の中央部から端部へ向けて大きくなり、スリット幅方向中央部に面した永久磁石１９から発生する磁束を低ロスで効率的にロータコアへ取り込むことが可能となる。
【００３４】
なお、図７のように、スリット１７２の端部形状を円弧にすることでも、スリット１７２の端部と磁石挿入孔２１との間隔を、スリット幅方向中央部から幅方向端部へ向けて大きくすることが可能であるが、図６の三角形と図７の円弧とでは、次のような差異が生じる。すなわち、図８に示すように、図６の三角形と図７の円弧とでは、ロータコアにおいてスリット７２，１７２が占める範囲について、符号Ａで示した斜線のエリアの差異が生じる。この斜線のエリアは、スリット端部の開き角α（０°＜α＜１８０°）の大きさに関わらず生じるものである。図８には、例として、開き角αを図７に示したものより大きくした態様を示すが、この場合においても、少なからず斜線のエリアが生じる。そして、スリット幅方向中央部の永久磁石１９の磁束は、スリット幅方向中央側の薄肉部Ｂ（図６参照）からコアへ流入し、スリット幅方向端部側へ通過する経路を通る為、スリット幅方向中央部の肉厚（スリットの磁石挿入孔２１側の端部と磁石挿入孔２１との、対応する磁極中心線の方向の間隔）は重要であり、スリットの端部形状を直線で構成される三角形にすることが有用なことが分かる。つまり、スリット幅方向中央部の幅方向両側において、肉厚の変化態様が対称的であることに限定されるものではない。
【００３５】
また、積層鋼板のプレス時の最小肉厚は、積層鋼板の板厚とみることができるので、三角形状の頂点７３ａと磁石挿入孔２１との間の間隔は、積層鋼板の板厚以上とする。なお、上記のように永久磁石１９（磁石挿入孔２１）に面したスリット７２の端部形状を構成することで、磁石形状そのものには関わらず、磁束ロスの低減効果が期待できる。
【００３６】
以上のように構成された本実施の形態１のロータ５およびそれを備えた永久磁石埋込型電動機１によれば、次のような優れた利点が得られる。コア外周面２５と磁石挿入孔２１の孔外側ライン５５との間に、少なくとも一つのスリット７２が設けられているので、コア外周面２５の磁気吸引力により発生する振動および騒音を抑制できる。また、スリット７２の磁石挿入孔２１側の端部形状を三角形にしたので、スリット７２に面する部分から発生する永久磁石１９の磁束のロスを減らし、高磁力化を図ることができる。すなわち、永久磁石１９から発する磁束のロスを低減しながら、騒音および振動の低減を図ることができる。さらに、上記のようにスリット７２の磁石挿入孔２１側の端部形状を三角形にしたうえで更に加えて、スリット７２の磁石挿入孔２１側の端部と磁石挿入孔２１とは空気領域でつながっていないので（スリット７２の磁石挿入孔２１側の端部と磁石挿入孔２１との間に、そのスリット７２の幅方向全体にわたってロータコア１１が存在するようにしたので）、ロータコア１１の剛性を確保することを促進し、かつ、スリット７２の磁石挿入孔２１側の端部と磁石挿入孔２１との間に空気領域が存在することによる磁束ロスの発生を回避している。
【００３７】
次に、ロータコア１１に形成されるスリット７２の形状の変形例について説明する。図１０は、実施の形態１の永久磁石埋込型電動機１のロータコア１１に形成されるスリット７２の形状の第１の変形例を示す図である。
【００３８】
図１０に示すように第１の変形例では、回転中心線ＣＬを垂線とする平面でみて、スリット７２の全体が磁石挿入孔２１側に向けて突出する三角形形状を呈する。より具体的には、スリット７２は、回転中心線ＣＬを垂線とする平面でみて、磁石挿入孔２１側の頂点７３ａからロータコア１１の外周面に向けて延びる一対のスリット内側ライン７３と、スリット内側ライン７３のうち頂点７３ａの反対側となるサイド端部７３ｂ，７３ｃ同士を結ぶスリット外側ライン７５とで構成される。
【００３９】
第１の変形例に示すスリット７２の形状でも、図６から図９を用いた上記説明と同様に、磁石挿入孔２１側の磁路幅を大きくとることが可能なので、スリット７２に面する部分から発生する磁石の磁束のロスを減らし、高磁力化を図ることができる。
【００４０】
図１１は、実施の形態１の永久磁石埋込型電動機１のロータコア１１に形成されるスリット７２の形状の第２の変形例を示す図である。
【００４１】
図１１に示すように第２の変形例では、回転中心線ＣＬを垂線とする平面でみて、スリット７２の一部を構成する一対のスリット内側ライン７３が、頂点７３ａからロータコア１１の外周面に向けて延びる曲線となっている。また、スリット内側ライン７３は、スリット７２の外側に向けて凸となる曲線となっている。
【００４２】
第２の変形例に示すスリット７２の形状でも、図６から図９を用いた上記説明と同様に、磁石挿入孔２１側の磁路幅を大きくとることが可能なので、スリット７２に面する部分から発生する磁石の磁束のロスを減らし、高磁力化を図ることができる。
【００４３】
図１２は、実施の形態１の永久磁石埋込型電動機１のロータコア１１に形成されるスリット７２の形状の第３の変形例を示す図である。
【００４４】
図１２に示すように第３の変形例では、第２の変形例と同様に、回転中心線ＣＬを垂線とする平面でみて、スリット７２の一部を構成する一対のスリット内側ライン７３が、頂点７３ａからロータコア１１の外周面に向けて延びる曲線となっている。ただし、スリット内側ライン７３の曲線がスリット７２の内側に向けて凸となっている。
【００４５】
第３の変形例に示すスリット７２の形状でも、図６から図９を用いた上記説明と同様に、磁石挿入孔２１側の磁路幅を大きくとることが可能なので、スリット７２に面する部分から発生する磁石の磁束のロスを減らし、高磁力化を図ることができる。
【００４６】
なお、スリット７２の一部を構成する一対のスリット内側ライン７３のうち、一方のスリット内側ライン７３を外側に凸となる曲線とし、他方のスリット内側ライン７３を内側に凸となる曲線として構成しても構わない。
【００４７】
図１３は、実施の形態１の永久磁石埋込型電動機１のロータコア１１に形成されるスリット７２の形状の第４の変形例を示す図である。
【００４８】
図１３に示すように第４の変形例では、回転中心線ＣＬを垂線とする平面でみて、スリット７２は、磁石挿入孔２１側に向けて一対のスリット内側ライン同士の幅が狭くなる台形部分を有して構成される。これは、スリット７２の三角形状部分のうち、磁石挿入孔２１側となる端部に、面取りを設けたとも換言できる。
【００４９】
このような面取りを設けることで、スリット７２を形成する際に用いる刃物の形状から、チッピングを引き起こしやすい鋭角な端部を減らすことができる。これにより、スリット７２の形成に用いる刃物の寿命を延ばすことができる。なお、面取りされた端部には、丸取りが施されていてもよい。
【００５０】
第４の変形例に示すスリット７２の形状でも、図６から図９を用いた上記説明と同様に、磁石挿入孔２１側の磁路幅を大きくとることが可能なので、スリット７２に面する部分から発生する磁石の磁束のロスを減らし、高磁力化を図ることができる。
【００５１】
なお、ここまでは磁石挿入孔２１および永久磁石１９が、ロータ５の中心側に凸となる向きの弧状に形成されている例を挙げて説明したが、図１４に示すように、磁石挿入孔２１および永久磁石１９が、転中心線ＣＬを垂線とする平面でみて、凸とならない平面で構成されていてもよい。すなわち、平板状の永久磁石１９を用い、平板状の永久磁石１９を挿入可能な磁石挿入孔２１をロータコア１１に形成してもよい。
【００５２】
また、本実施の形態では、スリット７２がロータコア１１を貫通する構成を例に挙げて説明したが、これに限られない。例えば、スリット７２が形成されていない電磁鋼板をロータコア１１の端面に積層させることで、ロータコア１１の内部に空間としてスリット７２が形成されるように構成してもよい。
【００５３】
実施の形態２．
次に、本発明の実施の形態２として、上述した実施の形態１の永久磁石埋込型電動機を搭載したロータリ圧縮機について説明する。なお、本発明は、上述した実施の形態１の永久磁石埋込型電動機を搭載した圧縮機を含むものであるが、圧縮機の種別は、ロータリ圧縮機に限定されるものではない。
【００５４】
図１５は、永久磁石埋込型電動機を搭載したロータリ圧縮機の縦断面図である。ロータリ圧縮機１００は、密閉容器１０１内に、永久磁石埋込型電動機１（電動要素）と、圧縮要素１０３とを備えている。図示はしないが、密閉容器１０１の底部に、圧縮要素１０３の各摺動部を潤滑する冷凍機油が貯留されている。
【００５５】
圧縮要素１０３は、主な要素として、上下積層状態に設けられたシリンダ１０５と、永久磁石埋込型電動機１により回転するシャフトである回転軸１０７と、回転軸１０７に嵌挿されるピストン１０９と、シリンダ１０５内を吸入側と圧縮側に分けるベーン（図示せず）と、回転軸１０７が回転自在に嵌挿され、シリンダ１０５の軸方向端面を閉塞する上下一対の上部フレーム１１１および下部フレーム１１３と、上部フレーム１１１および下部フレーム１１３にそれぞれ装着されたマフラ１１５とを含んでいる。
【００５６】
永久磁石埋込型電動機１のステータ３は、密閉容器１０１に焼嵌または溶接等の方法により直接取り付けられ保持されている。ステータ３のコイルには、密閉容器１０１に固定されるガラス端子から電力が供給される。
【００５７】
ロータ５は、ステータ３の内径側に、空隙を介して配置されており、ロータ５の中心部の回転軸１０７（シャフト１３）を介して圧縮要素１０３の軸受け部（上部フレーム１１１および下部フレーム１１３）により回転自在な状態で保持されている。
【００５８】
次に、かかるロータリ圧縮機１００の動作について説明する。アキュムレータ１１７から供給された冷媒ガスは、密閉容器１０１に固定された吸入パイプ１１９よりシリンダ１０５内へ吸入される。インバータの通電によって永久磁石埋込型電動機１が回転されていることで、回転軸１０７に嵌合されたピストン１０９がシリンダ１０５内で回転される。それにより、シリンダ１０５内では冷媒の圧縮が行われる。冷媒は、マフラ１１５を経た後、密閉容器１０１内を上昇する。このとき、圧縮された冷媒には冷凍機油が混入している。この冷媒と冷凍機油との混合物は、ロータコア１１に設けた風穴を通過する際に、冷媒と冷凍機油との分離を促進され、冷凍機油が吐出パイプ１２１へ流入するのを防止できる。このようにして、圧縮された冷媒が、密閉容器１０１に設けられた吐出パイプ１２１を通って冷凍サイクルの高圧側へと供給される。
【００５９】
なお、ロータリ圧縮機１００の冷媒には、従来からあるＲ４１０Ａ、Ｒ４０７Ｃ、Ｒ２２等を用いてもよいが、低ＧＷＰ（Ｇｌｏｂａｌ−Ｗａｒｍｉｎｇ  Ｐｏｔｅｎｔｉａｌ，地球温暖化係数）の冷媒等などいかなる冷媒も適用できる。地球温暖化防止の観点からは、低ＧＷＰ冷媒が望まれている。低ＧＷＰ冷媒の代表例として、以下の冷媒がある。
（１）組成中に炭素の二重結合を有するハロゲン化炭化水素：例えば、ＨＦＯ−１２３４ｙｆ（ＣＦ３ＣＦ＝ＣＨ２）である。ＨＦＯは、Ｈｙｄｒｏ−Ｆｌｕｏｒｏ−Ｏｌｅｆｉｎの略で、オレフィン（Ｏｌｅｆｉｎ）は、二重結合を一つ持つ不飽和炭化水素のことである。なお、ＨＦＯ−１２３４ｙｆのＧＷＰは４である。
（２）組成中に炭素の二重結合を有する炭化水素：例えば、Ｒ１２７０（プロピレン）である。なお、ＧＷＰは３で、ＨＦＯ−１２３４ｙｆより小さいが、可燃性はＨＦＯ−１２３４ｙｆより大きい。
（３）組成中に炭素の二重結合を有するハロゲン化炭化水素または組成中に炭素の二重結合を有する炭化水素の少なくともいずれかを含む混合物：例えば、ＨＦＯ−１２３４ｙｆとＲ３２との混合物等である。ＨＦＯ−１２３４ｙｆは、低圧冷媒のため圧損が大きくなり、冷凍サイクル（特に、蒸発器において）の性能が低下しやすい。そのため、ＨＦＯ−１２３４ｙｆより高圧冷媒であるＲ３２又はＲ４１等との混合物が実用上は有力になる。
【００６０】
以上に構成された本実施の形態２に係るロータリ圧縮機においても、上述した永久磁石埋込型電動機を用いれば、上述した実施の形態１と同様な利点を有する。
【００６１】
また、本発明は、上述した実施の形態２の圧縮機を冷凍回路の構成要素として含む、空調装置として実施することも可能である。なお、空調装置の冷凍回路における、圧縮機以外の構成要素の構成は、特に、限定されるものではない。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１  永久磁石埋込型電動機、３  ステータ、５  ロータ、１１  ロータコア、１３  シャフト、１９  永久磁石、２１  磁石挿入孔、２５  コア外周面、５５  孔外側ライン、７２，７２ａ，７２ｂ，７２ｃ，７２ｄ  スリット、７３  スリット内側ライン、７３ａ  頂点、７３ｂ，７３ｃ  サイド端部、１００  ロータリ圧縮機、１０１  密閉容器、１０３  圧縮要素、１０５  シリンダ、ＭＬ  磁極中心線。
【図１】
2017072851.tif 000003
【図２】
2017072851.tif 000004
【図３】
2017072851.tif 000005
【図４】
2017072851.tif 000006
【図５】
2017072851.tif 000007
【図６】
2017072851.tif 000008
【図７】
2017072851.tif 000009
【図８】
2017072851.tif 000010
【図９】
2017072851.tif 000011
【図１０】
2017072851.tif 000012
【図１１】
2017072851.tif 000013
【図１２】
2017072851.tif 000014
【図１３】
2017072851.tif 000015
【図１４】
2017072851.tif 000016
【図１５】
2017072851.tif 000017
【国際調査報告】
2017072851.tif 000018
2017072851.tif 000019
2017072851.tif 000020